(57)【要約】【課題】文字入力とは異なる入力を受け付けるモードとなるように、ソフトウェアキーボードを操作性良く切り替える、ことを目的とする。【解決手段】ノートＰＣは、文字入力を受け付けるための文字キー領域を有するＯＳＫ５を表示しているタッチパネルディスプレイに対する指や手の接触態様を検知し、接触態様が第３ステートであると判定した場合に、ＯＳＫ５の表示領域を、文字入力を受け付けるキーボードモードから、文字入力とは異なる入力を受け付けるポインティングデバイスモードへ切り替える。【選択図】図４
2018018322.tif 000002
【特許請求の範囲】
【請求項１】
文字入力操作を受け付ける情報処理装置であって、
文字入力を受け付けるための文字キー領域を有するソフトウェアキーボードを表示する表示制御手段と、
前記ソフトウェアキーボードを表示している領域に対する指示体の操作態様が少なくとも前記文字キー領域を含む領域への操作であって、前記文字入力操作以外の所定態様であることを判定する操作態様判定手段と、
前記操作態様判定手段によって前記操作態様が前記所定態様であると判定された場合に、前記文字キー領域の少なくとも一部を含む、前記ソフトウェアキーボードの表示領域における一部又は全部の領域の機能を、前記文字入力を受け付ける第１機能から、前記文字入力とは異なる入力を受け付ける第２機能へ切り替える入力機能切替手段と、
を備える情報処置装置。
【請求項２】
前記所定態様は、前記ソフトウェアキーボードに対する前記指示体の接触又は近接が保持される態様である請求項１記載の情報処理装置。
【請求項３】
前記所定態様は、前記ソフトウェアキーボードの複数個所における前記指示体の接触又は近接が同時に行われる態様である請求項２記載の情報処理装置。
【請求項４】
前記所定態様は、前記ソフトウェアキーボードに対する前記指示体の接触又は近接の面積が所定の面積よりも大きい態様である請求項２又は請求項３記載の情報処理装置。
【請求項５】
前記入力機能切替手段は、前記ソフトウェアキーボードが表示された領域の中で、前記所定態様での接触があった領域とは異なる領域において、前記第２機能へ切り替える請求項１から請求項４の何れか１項記載の情報処理装置。
【請求項６】
前記操作態様判定手段は、前記所定態様を判定した後、前記ソフトウェアキーボードを表示している領域に対する前記指示体の継続的な接触又は継続的な近接を判定し、
前記入力機能切替手段は、前記指示体の継続的な接触又は継続的な近接が検知されている状態で前記第２機能とし、前記指示体の継続的な接触又は継続的な近接が検知されなくなると前記第２機能から前記第１機能へ切り替える請求項１から請求項５の何れか１項記載の情報処理装置。
【請求項７】
前記入力機能切替手段は、前記指示体の前記操作態様が前記所定態様とは異なる態様となった後も、前記第２機能を解除する指令を受け付けるまでは前記第２機能を維持する請求項１から請求項５の何れか１項記載の情報処理装置。
【請求項８】
前記操作態様判定手段は、前記所定態様を判定した後、前記第２機能を解除する操作を判定し、
前記入力機能切替手段は、前記指示体の前記操作態様が前記所定態様とは異なる態様となった後も、前記操作態様判定手段で前記第２機能を解除する操作が判定されるまでは前記第２機能を維持する請求項７記載の情報処理装置。
【請求項９】
前記表示制御手段は、前記入力機能切替手段によって前記第２機能への切り替えが行われた場合、前記第２機能と組み合わせて操作される機能キーを表示する請求項１から請求項８の何れか１項記載の情報処理装置。
【請求項１０】
前記表示制御手段は、前記入力機能切替手段によって機能の切り替えが行われた場合、前記ソフトウェアキーボードの表示状態を切り替える請求項１から請求項９の何れか１項記載の情報処理装置。
【請求項１１】
前記表示制御手段は、前記ソフトウェアキーボードの前記第２機能を実行する領域に対して、表示画像又は明るさを切り替える請求項１０記載の情報処理装置。
【請求項１２】
前記第２機能は、少なくともポインティング操作を受け付ける機能である請求項１から請求項１１の何れか１項記載の情報処理装置。
【請求項１３】
文字入力操作を受け付ける情報処理装置であって、
文字入力を受け付けるための文字キー領域を有するソフトウェアキーボードを表示する表示制御手段と、
前記ソフトウェアキーボードを表示している領域に対する指示体の操作態様が少なくとも前記文字キー領域を含む領域への操作であって、前記文字入力操作以外の所定態様であることを判定する操作態様判定手段と、
を備え、
前記表示制御手段は、前記操作態様判定手段によって前記操作態様が前記所定態様であると判定された場合に、前記文字キー領域の少なくとも一部を含む、前記ソフトウェアキーボードの表示領域における一部又は全部の領域の表示状態を切り替える情報処置装置。
【請求項１４】
文字入力操作を受け付ける情報処理装置の入力切替方法であって、
文字入力を受け付けるための文字キー領域を有するソフトウェアキーボードを表示する第１工程と、
前記ソフトウェアキーボードを表示している領域に対する指示体の操作態様が少なくとも前記文字キー領域を含む領域への操作であって、前記文字入力操作以外の所定態様であることを判定する第２工程と、
前記操作態様が前記所定態様であると判定された場合に、前記文字キー領域の少なくとも一部を含む、前記ソフトウェアキーボードの表示領域における一部又は全部の領域の機能を、前記文字入力を受け付ける第１機能から、前記文字入力とは異なる入力を受け付ける第２機能へ切り替える第３工程と、
を有する入力切替方法。
【請求項１５】
文字入力操作を受け付ける情報処理装置の入力切替方法であって、
文字入力を受け付けるための文字キー領域を有するソフトウェアキーボードを表示する第１工程と、
前記ソフトウェアキーボードを表示している領域に対する指示体の操作態様が少なくとも前記文字キー領域を含む領域への操作であって、前記文字入力操作以外の所定態様であることを判定する第２工程と、
を有し、
前記第２工程は、前記操作態様が前記所定態様であると判定された場合に、前記文字キー領域の少なくとも一部を含む、前記ソフトウェアキーボードの表示領域における一部又は全部の領域の表示状態を切り替える入力切替方法。
【請求項１６】
文字入力操作を受け付ける情報処理装置が備えるコンピュータを、
文字入力を受け付けるための文字キー領域を有するソフトウェアキーボードを表示する表示制御手段と、
前記ソフトウェアキーボードを表示している領域に対する指示体の操作態様が少なくとも前記文字キー領域を含む領域への操作であって、前記文字入力操作以外の所定態様であることを判定する接触態様検知手段と、
前記接触態様検知手段によって前記操作態様が所定態様であると判定された場合に、前記文字キー領域の少なくとも一部を含む、前記ソフトウェアキーボードの表示領域における一部又は全部の領域の機能を、前記文字入力を受け付ける第１機能から、前記文字入力とは異なる入力を受け付ける第２機能へ切り替える入力機能切替手段と、
して機能させるためのプログラム。
【請求項１７】
文字入力操作を受け付ける情報処理装置が備えるコンピュータを、
文字入力を受け付けるための文字キー領域を有するソフトウェアキーボードを表示する表示制御手段と、
前記ソフトウェアキーボードを表示している領域に対する指示体の操作態様が少なくとも前記文字キー領域を含む領域への操作であって、前記文字入力操作以外の所定態様であることを判定する操作態様判定手段と、
して機能させ、
前記表示制御手段は、前記操作態様判定手段によって前記操作態様が前記所定態様であると判定された場合に、前記文字キー領域の少なくとも一部を含む、前記ソフトウェアキーボードの表示領域における一部又は全部の領域の表示状態を切り替えるプログラム。
【発明の詳細な説明】
【技術分野】
【０００１】
本発明は、情報処理装置、入力切替方法、及びプログラムに関するものである。
【背景技術】
【０００２】
近年、画像表示手段としてタッチパネルディスプレイを備える情報処理装置の普及と共に、ソフトウェアキーボード（On  Screen  Keyboard：ＯＳＫやスクリーンキーボードともいう。）によってキー入力が可能な情報処理装置が開発されている。
【０００３】
モード切替ボタンによってソフトウェアキーボードをタッチパッドとして使用可能なものがある。しかしながら、ユーザがモード切替ボタンを操作する場合、モード切替ボタンの位置を確認するために視線をディスプレイからソフトウェアキーボードへ落とす必要がある。このため、ユーザは、キー入力操作からタッチパッド操作への連続動作ができず、スムーズ（シームレス）な操作ができなかった。
【０００４】
モード切替ボタンを用いずにモードの切り替えを行うものとして、特許文献１には、タッチパネル上におけるパーム（掌）の接触の検知結果に応じて、ソフトウェアキーボードからの入力が可能なキー入力モードと、ポインティングデバイスとしての入力が可能なポインティングデバイスモードとを切り替える情報入力装置が開示されている。
【先行技術文献】
【特許文献】
【０００５】
【特許文献１】特開２０１４−５２８６４号公報
【発明の概要】
【発明が解決しようとする課題】
【０００６】
しかしながら、特許文献１に開示されている情報入力装置では、パームを検知するためのパームレスト領域をタッチパネルに設ける必要があり、ソフトウェアキーボードの構成に制限が生じる。また、キー入力を行う際に、ユーザは必ずパームレスト領域にパームを載せ続ける必要があるため、ユーザに対して特定の姿勢を強要するものであり操作性が良くない。
【０００７】
本発明は、このような事情に鑑みてなされたものであって、文字入力とは異なる入力を受け付けるモードとなるように、ソフトウェアキーボードを操作性良く切り替えることができる、情報処理装置、入力切替方法、及びプログラムを提供することを目的とする。
【課題を解決するための手段】
【０００８】
上記課題を解決するために、本発明の情報処理装置、入力切替方法、及びプログラムは以下の手段を採用する。
【０００９】
本発明の第一態様に係る情報処置装置は、文字入力操作を受け付ける情報処理装置であって、文字入力を受け付けるための文字キー領域を有するソフトウェアキーボードを表示する表示制御手段と、前記ソフトウェアキーボードを表示している領域に対する指示体の操作態様が少なくとも前記文字キー領域を含む領域への操作であって、前記文字入力操作以外の所定態様であることを判定する操作態様判定手段と、前記操作態様判定手段によって前記操作態様が前記所定態様であると判定された場合に、前記文字キー領域の少なくとも一部を含む、前記ソフトウェアキーボードの表示領域における一部又は全部の領域の機能を、前記文字入力を受け付ける第１機能から、前記文字入力とは異なる入力を受け付ける第２機能へ切り替える入力機能切替手段と、を備える。
【００１０】
本発明の第二態様に係る情報処置装置は、文字入力操作を受け付ける情報処理装置であって、文字入力を受け付けるための文字キー領域を有するソフトウェアキーボードを表示する表示制御手段と、前記ソフトウェアキーボードを表示している領域に対する指示体の操作態様が少なくとも前記文字キー領域を含む領域への操作であって、前記文字入力操作以外の所定態様であることを判定する操作態様判定手段と、を備え、前記表示制御手段は、前記操作態様判定手段によって前記操作態様が前記所定態様であると判定された場合に、前記文字キー領域の少なくとも一部を含む、前記ソフトウェアキーボードの表示領域における一部又は全部の領域の表示状態を切り替える。
【００１１】
本発明の第三態様に係る入力切替方法は、文字入力操作を受け付ける情報処理装置の入力切替方法であって、文字入力を受け付けるための文字キー領域を有するソフトウェアキーボードを表示する第１工程と、前記ソフトウェアキーボードを表示している領域に対する指示体の操作態様が少なくとも前記文字キー領域を含む領域への操作であって、前記文字入力操作以外の所定態様であることを判定する第２工程と、前記操作態様が前記所定態様であると判定された場合に、前記文字キー領域の少なくとも一部を含む、前記ソフトウェアキーボードの表示領域における一部又は全部の領域の機能を、前記文字入力を受け付ける第１機能から、前記文字入力とは異なる入力を受け付ける第２機能へ切り替える第３工程と、を有する。
【００１２】
本発明の第四態様に係る入力切替方法は、文字入力操作を受け付ける情報処理装置の入力切替方法であって、文字入力を受け付けるための文字キー領域を有するソフトウェアキーボードを表示する第１工程と、前記ソフトウェアキーボードを表示している領域に対する指示体の操作態様が少なくとも前記文字キー領域を含む領域への操作であって、前記文字入力操作以外の所定態様であることを判定する第２工程と、を有し、前記第２工程は、前記操作態様が前記所定態様であると判定された場合に、前記文字キー領域の少なくとも一部を含む、前記ソフトウェアキーボードの表示領域における一部又は全部の領域の表示状態を切り替える。
【００１３】
本発明の第五態様に係るプログラムは、文字入力操作を受け付ける情報処理装置が備えるコンピュータを、文字入力を受け付けるための文字キー領域を有するソフトウェアキーボードを表示する表示制御手段と、前記ソフトウェアキーボードを表示している領域に対する指示体の操作態様が少なくとも前記文字キー領域を含む領域への操作であって、前記文字入力操作以外の所定態様であることを判定する接触態様検知手段と、前記接触態様検知手段によって前記操作態様が所定態様であると判定された場合に、前記文字キー領域の少なくとも一部を含む、前記ソフトウェアキーボードの表示領域における一部又は全部の領域の機能を、前記文字入力を受け付ける第１機能から、前記文字入力とは異なる入力を受け付ける第２機能へ切り替える入力機能切替手段と、して機能させる。
【００１４】
本発明の第六態様に係るプログラムは、文字入力操作を受け付ける情報処理装置が備えるコンピュータを、文字入力を受け付けるための文字キー領域を有するソフトウェアキーボードを表示する表示制御手段と、前記ソフトウェアキーボードを表示している領域に対する指示体の操作態様が少なくとも前記文字キー領域を含む領域への操作であって、前記文字入力操作以外の所定態様であることを判定する操作態様判定手段と、して機能させ、前記表示制御手段は、前記操作態様判定手段によって前記操作態様が前記所定態様であると判定された場合に、前記文字キー領域の少なくとも一部を含む、前記ソフトウェアキーボードの表示領域における一部又は全部の領域の表示状態を切り替える。
【発明の効果】
【００１５】
本発明によれば、文字入力とは異なる入力を受け付けるモードとなるように、ソフトウェアキーボードを操作性良く切り替えることができる、という効果を有する。
【図面の簡単な説明】
【００１６】
【図１】本発明の第１実施形態に係るノートＰＣの概略外観図である。
【図２】本発明の第１実施形態に係るノートＰＣの電気的構成を示すブロック図である。
【図３】本発明の第１実施形態に係るキーボードモードのＯＳＫの概略図である。
【図４】本発明の第１実施形態に係るポインティングデバイスモードのＯＳＫの概略図である。
【図５】本発明の第１実施形態に係るＯＳＫモード切替機能に関する機能ブロック図である。
【図６】本発明の第１実施形態に係るＯＳＫモード切替機能の処理の流れを示すフローチャートである。
【図７】本発明の第１実施形態に係る他のポインティングデバイスモードのＯＳＫの概略図である。
【図８】本発明の第１実施形態に係る他のポインティングデバイスモードのＯＳＫの概略図である。
【図９】本発明の第２実施形態に係るＯＳＫモード切替機能の処理の流れを示すフローチャートである。
【図１０】本発明の他の実施形態に係るポインティングデバイスモードのＯＳＫの概略図である。
【発明を実施するための形態】
【００１７】
〔第１実施形態〕
以下、本発明の第１実施形態について説明する。
【００１８】
図１は、本実施形態に係るノートＰＣ１の概略外観図である。
【００１９】
ノートＰＣ１は、図１に示すように一例として、いずれも略直方体である第１筐体２Ａ及び第２筐体２Ｂを備える。
【００２０】
第１筐体２Ａ及び第２筐体２Ｂは、それぞれの端部で左右一対の連結部３Ａ，３Ｂによって連結されている。連結部３Ａ，３Ｂは、ヒンジであり、第１筐体２Ａ及び第２筐体２Ｂを開閉自在に支持している。
【００２１】
第１筐体２Ａはタッチパネルディスプレイ４Ａを備え、第２筐体２Ｂはタッチパネルディスプレイ４Ｂを備える。なお、以下の説明において、タッチパネルディスプレイ４Ａ，４Ｂを区別する場合は、符号の末尾にＡ，Ｂの何れかを付し、各タッチパネルディスプレイ４Ａ，４Ｂを区別しない場合は、Ａ，Ｂを省略する。
【００２２】
タッチパネルディスプレイ４は、入力される表示データをビデオ信号に変換し、変換したビデオ信号に応じた各種情報を表示画面に表示すると共に、ユーザの指やペン等の指示体によりタッチされることで入力を受け付け、これによる各種操作を検知する。
【００２３】
また、ノートＰＣ１は、ユーザによる入力操作を行うためのユーザインターフェースとして、タッチパネルディスプレイ４にソフトウェアキーボード（以下「ＯＳＫ」という。）５を表示可能とされている。
【００２４】
ＯＳＫ５には、文字入力を受け付けるための文字キー領域５Ａ、文字入力以外の機能を受け付ける機能キー領域５Ｂを有する。文字キー領域５Ａは複数の文字キーを有し、機能キー領域５Ｂは複数の機能キーを有する。図１の例において、ＯＳＫ５における破線内の領域が文字キー領域５Ａであり、破線外の領域が機能キー領域５Ｂである。そして、文字キー領域５Ａを含む領域、本実施形態では文字キー領域５Ａと機能キー領域５Ｂの領域を総称してキー領域５Ｃという。
【００２５】
なお、文字キー領域５Ａ及び機能キー領域５Ｂは、各キーを示す画像のみならず、隣接する各キー間の領域及びの各キーの外周領域も含む。また、機能キーとしては、例えば、所謂シフトキー「Ｓｈｉｆｔ」、ファンクションキー「Ｆｎ」、コントロールキー「Ｃｔｒｌ」、オルタネートキー「Ａｌｔ」、削除キー「Ｄｅｌｅｔｅ」、バックスペースキー「ＢａｃｋＳｐａｃｅ」、エンターキー「Ｅｎｔｅｒ」、入力文字種類を切り替えのためのキー「＆１２３」や「記号」、大文字入力と小文字入力を切り替えるためのキー等の周知のキーが、本実施形態に添付の図面に不図示のものや、ノートＰＣ１の種類やノートＰＣ１で実行されるアプリケーションソフトウェアの種類に応じて採用されたりされなかったりするものも含めて各種存在する。また、本実施形態において、所謂スペースキーは文字キーの１つとして扱う。なお、キー領域５Ｃは、機能キー領域５Ｂを含まずに、文字キー領域５Ａのみであってもよい。
【００２６】
なお、図１の例では、タッチパネルディスプレイ４Ｂがセカンダリモニタとして機能し、ＯＳＫ５が表示される。一方、タッチパネルディスプレイ４Ａがプライマリモニタとして機能し、ＯＳＫ５によって操作される各種アプリケーション、ウィンドウ、ポインタ６（マウスカーソルともいう。）等が表示される。
【００２７】
図２は、ノートＰＣ１のハードウェアの構成を示す概略図である。
【００２８】
ノートＰＣ１は、ＣＰＵ（Central  Processing  Unit）２０、ＲＯＭ（Read  Only  Memory）２１、メモリ２２、ＬＣＤ（Liquid  Crystal  Display）２３、グラフィクスアダプタ２４、タッチセンサ２５、タッチＩＣ２６、フラッシュメモリ２７、通信デバイス２８、及び電源回路２９を備えており、各部はバス３０を介して直接又は間接的に接続されている。なお、タッチパネルディスプレイ４Ａ，４Ｂは、各々、ＬＣＤ２３とタッチセンサ２５を含んで構成される。
【００２９】
ＣＰＵ２０は、フラッシュメモリ２７に格納されたＯＳ（Operating  System）によりノートＰＣ１全体の制御を行うと共に、フラッシュメモリ２７に格納された各種のプログラムに基づいて、タッチパネルディスプレイ４等を介したユーザの操作に応じた処理を実行する機能を有する。
【００３０】
ＲＯＭ２１は、ＢＩＯＳ（Basic  Input/Output  System）や各種データ等を格納している。
【００３１】
メモリ２２は、キャッシュメモリやＲＡＭ（Random  Access  Memory）で構成されており、ＣＰＵ２０の実行プログラムの読み込み、及び実行プログラムによる処理データの書き込みを行う作業領域として利用される書き込み可能なメモリである。
【００３２】
ＬＣＤ２３は、ＣＰＵ２０の制御に従って、グラフィクスアダプタ２４からのビデオ信号を画像として表示する。
【００３３】
グラフィクスアダプタ２４は、ＣＰＵ２０の制御に従って、表示情報をビデオ信号に変換し、変換したビデオ信号をＬＣＤ２３に出力する。
【００３４】
タッチセンサ２５は、ＬＣＤ２３に対するユーザの指及びタッチペン等のタッチ位置を検知して、タッチＩＣ２６に出力する。そして、タッチセンサ２５は、ＬＣＤ２３の画面に表示される各種メニュー、アイコン、ボタン、及びキーボード等の画面オブジェクトを選択して入力操作を行ったり、テキストの入力操作や、スクロールやスワイプ等の画面操作がユーザの指やタッチペン等により行われる。
【００３５】
タッチＩＣ（Integrated  Circuit）２６は、プロセッサがＲＯＭ２１等に格納されたプログラムを実行することにより各種処理を行い、タッチセンサ２５の動作を制御する。
【００３６】
フラッシュメモリ２７は、ノートＰＣ１全体の制御を行うためのＯＳ、周辺機器類をハードウェア操作するための各種ドライバ、特定業務に向けられたアプリケーション、及び各種データやファイル等を格納する機能を有する。なお、ノートＰＣ１は、フラッシュメモリ２７に替わる記憶手段としてＨＤＤ（Hard  Disk  Drive）等、他の記憶手段を備えてもよい。
【００３７】
通信デバイス２８は、他のデバイスとの間との通信を行う。
【００３８】
電源回路２９は、ＡＣアダプタ、電池、電池を充電するための充電器、及びＤＣ／ＤＣコンバータ等を備えており、ＣＰＵ２０の制御に従って、各デバイスに電力を供給する。
【００３９】
図３は、本実施形態に係るＯＳＫ５の概略図である。
【００４０】
ＯＳＫ５は、上述した様に、文字やコマンド等の入力を受け付ける各種キーより構成される文字キー領域５Ａと機能キー領域５Ｂを含むキー領域５Ｃを有する。以下の説明では、このキーによって文字入力等を受け付けるモード（機能）をキーボードモードという。
【００４１】
本実施形態に係るＯＳＫ５は、文字入力とは異なる入力を受け付けるモード（機能）であるポインティングデバイスモードを有する。ポインティングデバイスモードは、少なくともポインティング操作を受け付ける機能であり、ユーザが自身の指やペン等の指示体をＯＳＫ５上で移動させたりすることで、プライマリモニタであるタッチパネルディスプレイ４Ａに表示されるポインタ６を移動させるポインティング操作や、操作対象に対するタップ操作、フリック操作、ピンチイン操作、ピンチアウト操作、ドラッグ操作、スクロール操作等を可能とする。このようなポインティングデバイスモードを実現するものの一例として、タッチパッドがある。
【００４２】
本実施形態に係るノートＰＣ１は、タッチパネルディスプレイ４Ｂに表示されているＯＳＫ５のキー領域５Ｃに対する指示体による操作態様に応じて、キーボードモードとポインティングデバイスモードを切り替えるＯＳＫモード切替機能を有する。
【００４３】
より具体的には、キー領域５Ｃに対する操作態様が文字入力操作以外の所定態様である場合に、キーボードモードがポインティングデバイスモードへ切り替わる。なお、以下の説明では、ＯＳＫ５を操作する指示体を、一例として指や手として説明する。
【００４４】
ＯＳＫ５に対する操作態様として、ＯＳＫ５に対して文字入力を行う態様（タイピング）である第１ステート、及び文字入力操作以外の態様であって、ＯＳＫ５に対する指の接触又は近接が保持された態様（フィンガーレスト）である第２ステートとがある。
【００４５】
本実施形態では、一例として、キー領域５Ｃに接触している指の本数、接触面積、接触時間がタイピングであるとされる予め設定された値である場合に、第１ステートと判定される。一方、キー領域５Ｃに接触している指の本数、接触面積、接触時間がフィンガーレストであるとされる予め設定された値である場合に、第２ステートと判定される。
【００４６】
そして、ポインティングデバイスモードへ切り替わる上記所定態様は、第２ステートとするが、第２ステートのうち特定の態様（以下「第３ステート」という。）としてもよい。なお、以下の説明では、第３ステートと判定された場合にポインティングデバイスモードへ切り替わる。
【００４７】
第３ステートは、例えば、ＯＳＫ５のキー領域５Ｃ内での複数個所における指の接触又は近接が同時に行われる態様や、キー領域５Ｃに対する指や手の接触又は近接の面積が所定の面積よりも大きい態様とされる。
【００４８】
具体的には、キー領域５Ｃのうちの左側或は右側のどちらか一方において、接触又は近接している箇所が予め設定された数（以下「設定数」という。）となった場合に第３ステートになる。この設定数は、タイピング時に接触又は近接する指の数よりも多い値である。また、キー領域５Ｃのうちの左側或は右側のどちらか一方において、接触又は近接の面積が、予め設定された面積（以下「設定面積」という。）より大きくなった場合に第３ステートとされる。この設定面積は、例えば、掌や拳をキー領域５Ｃに載置した場合の面積である。図３の例では、左手の握り拳をキー領域５Ｃに載置しているので、第３ステートと判定される。
【００４９】
図４は、第３ステートであると判定されて、キーボードモードからポインティングデバイスモードへ切り替わったＯＳＫ５の概略図である。
【００５０】
図４の例では、左手を握り拳とし、ＯＳＫ５上に載置することでＯＳＫ５の右側がポインティングデバイスモードに切り替っている。すなわち、本実施形態に係るノートＰＣ１は、ＯＳＫ５が表示された領域の中で、第３ステートでの接触があった領域とは異なる領域において、ポインティングデバイスモードへ切り替える。
【００５１】
例えば、ＯＳＫ５の表示領域が仮想的に左右に２分割され、左側で第３ステートであると判定された場合、ＯＳＫ５の右側がタッチパッド３１となる。一方、右側で第３ステートが判定された場合、ＯＳＫ５の左側がタッチパッド３１となる。第３ステートであると判定されたＯＳＫ５の表示領域は、キーボードモードとしての機能はなく、操作態様のみを判定する。
【００５２】
なお、例えば、ＯＳＫ５の表示領域が仮想的に上下に２分割され、上側で第３ステートであると判定された場合、ＯＳＫ５の下側がタッチパッド３１となり、下側で第３ステートであると判定された場合、ＯＳＫ５の上側がタッチパッド３１となってもよい。
【００５３】
また、ポインティングデバイスモードに切り替わったＯＳＫ５の表示領域は、キーボードを示す画像からタッチパッド３１を示す画像に切り替わる。
【００５４】
図５は、ＯＳＫモード切替機能に関する機能ブロック図である。ＣＰＵ２０は、画像表示制御部４０、操作態様判定部４１、及び入力機能切替部４２を備える。ＣＰＵ２０が備える各機能は、プログラムによって実現される。
【００５５】
画像表示制御部４０は、タッチパネルディスプレイ４に各種画像を表示させる。本実施形態に係る画像表示制御部４０は、後述する操作態様判定部４１によってＯＳＫ５に対する操作態様が第３ステートであると判定された場合に、文字キー領域５Ａの少なくとも一部を含む、ＯＳＫ５の表示領域における一部又は全部の領域の表示状態を切り替える。
【００５６】
より具体的には、画像表示制御部４０は、ＯＳＫ５のポインティングデバイスモードの機能を実行する領域に対して、表示画像又は明るさを切り替える。図４の例では、ＯＳＫ５がポインティングデバイスモードへ切り替わるとタッチパッド３１を示す画像として白色の矩形画像を表示させている。なお、これに限らず、モードの切り替わりがユーザに認識できる表示状態であれば、ＯＳＫ５がポインティングデバイスモードへ切り替わると、白色以外の他の色の画像を表示させてもよいし、タッチパネルディスプレイ４Ｂのバックライトを消灯させてもよい。
【００５７】
操作態様判定部４１は、ＯＳＫ５に対するユーザの指や手による操作態様が少なくとも文字キー領域５Ａを含む領域、すなわち本実施形態ではキー領域５Ｃへの操作であって、第３ステートであることを判定する。操作態様は、タッチセンサ２５の検知結果から得られる接触点の分散度合い、圧力値、又は圧力面積等に基づいて判定される。そして、操作態様判定部４１は、操作態様が第１ステート、第２ステート、又は第３ステートの何れであるかを判定する。さらに、操作態様判定部４１は、第３ステートを判定した後、ＯＳＫ５を表示している領域に対する指示体の継続的な接触又は継続的な近接を判定する。
【００５８】
入力機能切替部４２は、操作態様判定部４１によって操作態様が第３ステートであると判定された場合に、文字キー領域５Ａの少なくとも一部を含む、ＯＳＫ５の表示領域における一部又は全部の領域の機能を、キーボードモードからポインティングデバイスモードへ切り替える。
【００５９】
本実施形態に係る入力機能切替部４２は、指や手の継続的な接触又は継続的な近接が検知されている状態でポインティングデバイスモードとし、指や手の継続的な接触又は継続的な近接が検知されなくなるとポインティングデバイスモードからキーボードモードへ切り替える。すなわち、第３ステートと判定された接触又は近接の状態がそのまま継続されているだけでなく、その後に異なる接触又は近接の状態となっても、接触又は近接が継続されている限りポインティングデバイスモードが継続される。なお、異なる接触又は近接の状態とは、例えば、第３ステートと判定された状態に対して、キー領域５Ｃに接触している指の本数が減少又は増加することや、キー領域５Ｃに接触している掌や拳の接触面積が減少又は増加することである。
【００６０】
図６は、実施形態に係るＯＳＫモード切替機能の処理の流れを示すフローチャートである。本処理は、ＯＳＫ５が起動すると開始し、ＯＳＫ５が終了すると終了する。
【００６１】
まず、ステップ１００では、ＯＳＫ５をキーボードモードとする。
【００６２】
次のステップ１０２では、キー領域５Ｃに対する操作態様が第３ステートであるか否かを判定し、肯定判定の場合はステップ１０４へ移行する一方、否定判定の場合はステップ１００へ戻り、キーボードモードを維持する。
【００６３】
ステップ１０４では、操作態様が第３ステートであることをトリガとして、キーボードモードをポインティングデバイスモードへ切り替える。
【００６４】
次のステップ１０６では、キー領域５Ｃに対する接触又は近接が継続されているか否かを判定し、肯定判定の場合はステップ１０４へ戻り、ポインティングデバイスモードを維持する。一方、否定判定の場合はステップ１００へ戻り、ポインティングデバイスモードをキーボードモードへ切り替える。
【００６５】
このように、本願発明に係るノートＰＣ１は、キー領域５Ｃに対して指や手の接触又は近接が継続している間をポインティングデバイスモードとし、接触又は近接が終了するとポインティングデバイスモードからキーボードモードへ切り替える。
【００６６】
また、図７に示されるように、ＯＳＫ５の表示領域の全部をタッチパッド３１としてもよい。また、画像表示制御部４０は、ポインティングデバイスモードに切り替えられた場合、タッチパッド３１と組み合わされて操作される機能キーの一部（例えばＳｈｉｆｔキー、Ｃｔｒｌキー等）を表示してもよい。これにより、例えば、ポインティングデバイスモードにおいて、ユーザは右手でポインティング操作を行うと共に左手でキー入力操作を行える。
【００６７】
さらに、図８に示されるように、ＯＳＫ５の一部をタッチパッド３１とした場合に、機能キーがキー領域５Ｃを移動している指と共に移動してもよい。例えば、人差指でポインティング操作を行っている場合、親指で機能キーを押すことが可能な位置に機能キーが移動する。
【００６８】
以上説明したように、本実施形態に係るノートＰＣ１は、ＯＳＫ５を表示しているタッチパネルディスプレイ４Ｂに対する指や手による操作態様を判定し、操作態様が第３ステートであると判定した場合に、ＯＳＫ５の表示領域を、文字入力を受け付けるキーボードモードから、文字入力とは異なる入力を受け付けるポインティングデバイスモードへ切り替える。
【００６９】
このように、ユーザはキー領域５Ｃに対する操作態様を第３ステートとするだけで、キーボードモードからポインティングデバイスモードへＯＳＫ５を操作性良く切り替えることができる。これにより、ユーザは、キー入力を行っていても、スムーズ（シームレス）にポインティング操作へ移行し、また、キー入力へ戻ることができる。
【００７０】
〔第２実施形態〕
以下、本発明の第２実施形態について説明する。
【００７１】
本実施形態に係るノートＰＣ１は、ポインティングデバイスモードへ切り替わった後、ユーザが第３ステートと判定された接触又は近接を解除、すなわち、手や指を完全にキー領域５Ｃから離しても、ポインティングデバイスモードを維持する。なお、本実施形態に係るノートＰＣ１の構成は、図１に示す第１実施形態に係るノートＰＣ１の構成と同様であるので説明を省略する。
【００７２】
本実施形態に係る操作態様判定部４１は、第３ステートを判定した後、ポインティングデバイスモードを解除するトグル操作（以下「解除操作」という。）を判定する。解除操作とは、例えば、第３ステートとなるための所定の操作と同じ操作である。解除操作は他の態様でもよく、例えば、タッチパッド３１が表示されていない領域（例えば図４のハッチング領域）でのタッチパッド３１が表示されている方向へのスワイプ、タッチパッド３１が表示されていない領域でのダブルタップ等、予め定められた操作（動作）である。
【００７３】
操作態様判定部４１は、解除操作であると判定すると、ポインティングデバイスモードを解除する指令（以下「解除指令」という。）を入力機能切替部４２に出力する。また、操作態様判定部４１は、解除操作だけでなく、ＯＳＫ５の表示領域以外のタッチパネルディスプレイ４へ接触又は近接があった場合、予め定められた時間以上操作入力が無かった場合、アプリの切り替えがあった場合、その他予め定められたイベントを行う操作があった場合等に、解除指令を入力機能切替部４２に出力してもよい。
【００７４】
本実施形態に係る入力機能切替部４２は、指示体（指や手）の操作態様が第３ステートとは異なる態様となった後も、解除指令を受け付けるまではポインティングデバイスモードを維持する。そして、入力機能切替部４２は、解除指令を受け付けると、ポインティングデバイスモードからキーボードモードへ切り替える（トグル機能）。
【００７５】
図９は、本実施形態に係るＯＳＫモード切替機能の処理の流れを示すフローチャートである。本処理は、ＯＳＫ５が起動すると開始し、ＯＳＫ５が終了すると終了する。
【００７６】
まず、ステップ２００では、ＯＳＫ５をキーボードモードとする。
【００７７】
次のステップ２０２では、キー領域５Ｃに対する操作態様が第３ステートであるか否かを判定し、肯定判定の場合はステップ２０４へ移行する一方、否定判定の場合はステップ２００へ戻り、キーボードモードを維持する。
【００７８】
ステップ２０４では、操作態様が第３ステートであることをトリガとして、キーボードモードをポインティングデバイスモードへ切り替える。そして、本実施形態に係るノートＰＣ１では、ユーザが手や指を完全にキー領域５Ｃから離しても、ポインティングデバイスモードは維持される。
【００７９】
次のステップ２０６では、入力機能切替部４２が解除指令を受け付けたか否かを判定し、肯定判定の場合はステップ２０４へ戻り、ポインティングデバイスモードを維持する。一方、否定判定の場合はステップ２００へ戻り、ポインティングデバイスモードをキーボードモードへ切り替える。
【００８０】
以上、本発明を、上記実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。また、上記実施形態を適宜組み合わせてもよい。
【００８１】
例えば、上記実施形態では、ポインティングデバイスモードとしてＯＳＫ５をタッチパッド３１とする形態について説明したが、本発明は、これに限定されるものではない。ポインティングデバイスモードは、少なくともポインティング操作を受け付ける機能であればよく、例えば、図１０に示すようにポインティングデバイスモードとしてＯＳＫ５にポインティング操作を行うためのソフトウェアボタン４３（ポインティング・スティックともいう。）を表示する形態としてもよい。
【００８２】
ソフトウェアボタン４３は、一例として、ＯＳＫ５の中央近辺に表示される。ソフトウェアボタン４３は、ユーザによって上側を押されるとポインタ６を上方向へ移動させ、ユーザによって下側を押されるとポインタ６を下方向へ移動させ、ユーザによって右側を押されるとポインタ６を右方向へ移動させ、ユーザによって下側を押されるとポインタ６を下方向へ移動させる。なお、ソフトウェアボタン４３が表示されているポインティングデバイスモードでは、全てのキー入力を可能としてもよい。
【００８３】
また、上記実施形態では、ポインティングデバイスモードにおいてＯＳＫ５の表示領域の一部又は全部をタッチパッド３１とする形態について説明したが、本発明は、これに限定されるものではなく、例えば、ＯＳＫ５の表示領域のみならず、タッチパネルディスプレイ４Ｂの表示領域全体をタッチパッド３１とする形態としてもよい。
【００８４】
また、上記実施形態では、本発明をノートＰＣ１の表示装置を担うタッチパネルディスプレイ４にＯＳＫ５を表示させる形態について説明したが、本発明は、これに限定されるものではなく、例えば、タッチパネルディスプレイからなるノートＰＣ１とは別体のキーボード装置にＯＳＫ５が表示される形態としてもよい。さらに、ＯＳＫ５は、机、紙媒体、人体等の任意の物体、又は空中等に投影したキーボードであってもよい。この形態の場合、投影したキーボードの文字キー領域５Ａにおける操作態様をカメラ等で取得した画像等によって判定する。
【００８５】
また、本実施形態に係るＯＳＫ５は、常設のタッチパッドを有していないが、本発明は、これに限定されるものではなく、常設のタッチパッドを有するＯＳＫ５に適用してもよい。この形態の場合、より操作性良くポインティング操作を行いたいユーザは、ＯＳＫ５をキーボードモードからポインティングデバイスモードに切り替える。
【００８６】
また、上記実施形態で説明したＯＳＫモード切替機能の処理の流れも一例であり、本発明の主旨を逸脱しない範囲内において不要なステップを削除したり、新たなステップを追加したり、処理順序を入れ替えたりしてもよい。
【符号の説明】
【００８７】
１    ノートＰＣ
４Ｂ  タッチパネルディスプレイ
５    ＯＳＫ（ソフトウェアキーボード）
５Ａ  文字キー領域
５Ｃ  キー領域
３１  タッチパッド
４１  操作態様判定部（操作態様判定手段）
４２  入力機能切替部（入力機能切替手段）
４３  ソフトウェアボタン
【図１】
2018018322.tif 000003
【図２】
2018018322.tif 000004
【図３】
2018018322.tif 000005
【図４】
2018018322.tif 000006
【図５】
2018018322.tif 000007
【図６】
2018018322.tif 000008
【図７】
2018018322.tif 000009
【図８】
2018018322.tif 000010
【図９】
2018018322.tif 000011
【図１０】
2018018322.tif 000012
【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
文字入力操作を受け付ける情報処理装置であって、
文字入力を受け付けるための文字キー領域を有するソフトウェアキーボードを表示する表示制御手段と、
前記ソフトウェアキーボードを表示している領域に対する指示体の操作態様が少なくとも前記文字キー領域を含む領域への操作であって、前記文字入力操作以外の所定態様であることを判定する操作態様判定手段と、
前記操作態様判定手段によって前記操作態様が前記所定態様であると判定された場合に、前記文字キー領域の少なくとも一部を含む、前記ソフトウェアキーボードの表示領域における一部又は全部の領域の機能を、前記文字入力を受け付ける第１機能から、前記文字入力とは異なる入力を受け付ける第２機能へ切り替える入力機能切替手段と、
を備え、
前記入力機能切替手段は、前記ソフトウェアキーボードが表示された領域の中で、前記所定態様での接触があった領域とは異なる領域において、前記第２機能へ切り替える情報処置装置。
【請求項２】
文字入力操作を受け付ける情報処理装置であって、
文字入力を受け付けるための文字キー領域を有するソフトウェアキーボードを表示する表示制御手段と、
前記ソフトウェアキーボードを表示している領域に対する指示体の操作態様が少なくとも前記文字キー領域を含む領域への操作であって、前記文字入力操作以外の所定態様であることを判定する操作態様判定手段と、
前記操作態様判定手段によって前記操作態様が前記所定態様であると判定された場合に、前記文字キー領域の少なくとも一部を含む、前記ソフトウェアキーボードの表示領域における一部又は全部の領域の機能を、前記文字入力を受け付ける第１機能から、前記文字入力とは異なる入力を受け付ける第２機能へ切り替える入力機能切替手段と、
を備え、
前記操作態様判定手段は、前記所定態様を判定した後、前記ソフトウェアキーボードを表示している領域に対する前記指示体の継続的な接触又は継続的な近接を判定し、
前記入力機能切替手段は、前記指示体の継続的な接触又は継続的な近接が検知されている状態で前記第２機能とし、前記指示体の継続的な接触又は継続的な近接が検知されなくなると前記第２機能から前記第１機能へ切り替える情報処置装置。
【請求項３】
前記所定態様は、前記ソフトウェアキーボードに対する前記指示体の接触又は近接が保持される態様である請求項１または２記載の情報処理装置。
【請求項４】
前記所定態様は、前記ソフトウェアキーボードの複数個所における前記指示体の接触又は近接が同時に行われる態様である請求項３記載の情報処理装置。
【請求項５】
前記所定態様は、前記ソフトウェアキーボードに対する前記指示体の接触又は近接の面積が所定の面積よりも大きい態様である請求項３又は請求項４記載の情報処理装置。
【請求項６】
前記入力機能切替手段は、前記指示体の前記操作態様が前記所定態様とは異なる態様となった後も、前記第２機能を解除する指令を受け付けるまでは前記第２機能を維持する請求項１または請求項２に従属しない請求項３から請求項５の何れか１項記載の情報処理装置。
【請求項７】
前記操作態様判定手段は、前記所定態様を判定した後、前記第２機能を解除する操作を判定し、
前記入力機能切替手段は、前記指示体の前記操作態様が前記所定態様とは異なる態様となった後も、前記操作態様判定手段で前記第２機能を解除する操作が判定されるまでは前記第２機能を維持する請求項６記載の情報処理装置。
【請求項８】
前記表示制御手段は、前記入力機能切替手段によって前記第２機能への切り替えが行われた場合、前記第２機能と組み合わせて操作される機能キーを表示する請求項１から請求項７の何れか１項記載の情報処理装置。
【請求項９】
前記表示制御手段は、前記入力機能切替手段によって機能の切り替えが行われた場合、前記ソフトウェアキーボードの表示状態を切り替える請求項１から請求項８の何れか１項記載の情報処理装置。
【請求項１０】
前記表示制御手段は、前記ソフトウェアキーボードの前記第２機能を実行する領域に対して、表示画像又は明るさを切り替える請求項９記載の情報処理装置。
【請求項１１】
前記第２機能は、少なくともポインティング操作を受け付ける機能である請求項１から請求項１０の何れか１項記載の情報処理装置。
【請求項１２】
文字入力操作を受け付ける情報処理装置の入力切替方法であって、
文字入力を受け付けるための文字キー領域を有するソフトウェアキーボードを表示する第１工程と、
前記ソフトウェアキーボードを表示している領域に対する指示体の操作態様が少なくとも前記文字キー領域を含む領域への操作であって、前記文字入力操作以外の所定態様であることを判定する第２工程と、
前記操作態様が前記所定態様であると判定された場合に、前記文字キー領域の少なくとも一部を含む、前記ソフトウェアキーボードの表示領域における一部又は全部の領域の機能を、前記文字入力を受け付ける第１機能から、前記文字入力とは異なる入力を受け付ける第２機能へ切り替える第３工程と、
を有し、
前記第３工程は、前記ソフトウェアキーボードが表示された領域の中で、前記所定態様での接触があった領域とは異なる領域において、前記第２機能へ切り替える入力切替方法。
【請求項１３】
文字入力操作を受け付ける情報処理装置の入力切替方法であって、
文字入力を受け付けるための文字キー領域を有するソフトウェアキーボードを表示する第１工程と、
前記ソフトウェアキーボードを表示している領域に対する指示体の操作態様が少なくとも前記文字キー領域を含む領域への操作であって、前記文字入力操作以外の所定態様であることを判定する第２工程と、
前記操作態様が前記所定態様であると判定された場合に、前記文字キー領域の少なくとも一部を含む、前記ソフトウェアキーボードの表示領域における一部又は全部の領域の機能を、前記文字入力を受け付ける第１機能から、前記文字入力とは異なる入力を受け付ける第２機能へ切り替える第３工程と、
を有し、
前記第２工程は、前記所定態様を判定した後、前記ソフトウェアキーボードを表示している領域に対する前記指示体の継続的な接触又は継続的な近接を判定し、
前記第３工程は、前記指示体の継続的な接触又は継続的な近接が検知されている状態で前記第２機能とし、前記指示体の継続的な接触又は継続的な近接が検知されなくなると前記第２機能から前記第１機能へ切り替える入力切替方法。
【請求項１４】
文字入力操作を受け付ける情報処理装置が備えるコンピュータを、
文字入力を受け付けるための文字キー領域を有するソフトウェアキーボードを表示する表示制御手段と、
前記ソフトウェアキーボードを表示している領域に対する指示体の操作態様が少なくとも前記文字キー領域を含む領域への操作であって、前記文字入力操作以外の所定態様であることを判定する操作態様判定手段と、
前記操作態様判定手段によって前記操作態様が所定態様であると判定された場合に、前記文字キー領域の少なくとも一部を含む、前記ソフトウェアキーボードの表示領域における一部又は全部の領域の機能を、前記文字入力を受け付ける第１機能から、前記文字入力とは異なる入力を受け付ける第２機能へ切り替える入力機能切替手段と、
して機能させ、
前記入力機能切替手段は、前記ソフトウェアキーボードが表示された領域の中で、前記所定態様での接触があった領域とは異なる領域において、前記第２機能へ切り替えるためのプログラム。
【請求項１５】
文字入力操作を受け付ける情報処理装置が備えるコンピュータを、
文字入力を受け付けるための文字キー領域を有するソフトウェアキーボードを表示する表示制御手段と、
前記ソフトウェアキーボードを表示している領域に対する指示体の操作態様が少なくとも前記文字キー領域を含む領域への操作であって、前記文字入力操作以外の所定態様であることを判定する操作態様判定手段と、
前記操作態様判定手段によって前記操作態様が所定態様であると判定された場合に、前記文字キー領域の少なくとも一部を含む、前記ソフトウェアキーボードの表示領域における一部又は全部の領域の機能を、前記文字入力を受け付ける第１機能から、前記文字入力とは異なる入力を受け付ける第２機能へ切り替える入力機能切替手段と、
して機能させ、
前記操作態様判定手段は、前記所定態様を判定した後、前記ソフトウェアキーボードを表示している領域に対する前記指示体の継続的な接触又は継続的な近接を判定し、
前記入力機能切替手段は、前記指示体の継続的な接触又は継続的な近接が検知されている状態で前記第２機能とし、前記指示体の継続的な接触又は継続的な近接が検知されなくなると前記第２機能から前記第１機能へ切り替えるためのプログラム。
【手続補正２】
【補正対象書類名】明細書
【補正対象項目名】０００９
【補正方法】変更
【補正の内容】
【０００９】
本発明の第一態様に係る情報処置装置は、文字入力操作を受け付ける情報処理装置であって、文字入力を受け付けるための文字キー領域を有するソフトウェアキーボードを表示する表示制御手段と、前記ソフトウェアキーボードを表示している領域に対する指示体の操作態様が少なくとも前記文字キー領域を含む領域への操作であって、前記文字入力操作以外の所定態様であることを判定する操作態様判定手段と、前記操作態様判定手段によって前記操作態様が前記所定態様であると判定された場合に、前記文字キー領域の少なくとも一部を含む、前記ソフトウェアキーボードの表示領域における一部又は全部の領域の機能を、前記文字入力を受け付ける第１機能から、前記文字入力とは異なる入力を受け付ける第２機能へ切り替える入力機能切替手段と、を備え、前記入力機能切替手段は、前記ソフトウェアキーボードが表示された領域の中で、前記所定態様での接触があった領域とは異なる領域において、前記第２機能へ切り替える。
【手続補正３】
【補正対象書類名】明細書
【補正対象項目名】００１０
【補正方法】変更
【補正の内容】
【００１０】
本発明の第二態様に係る情報処置装置は、文字入力操作を受け付ける情報処理装置であって、文字入力を受け付けるための文字キー領域を有するソフトウェアキーボードを表示する表示制御手段と、前記ソフトウェアキーボードを表示している領域に対する指示体の操作態様が少なくとも前記文字キー領域を含む領域への操作であって、前記文字入力操作以外の所定態様であることを判定する操作態様判定手段と、前記操作態様判定手段によって前記操作態様が前記所定態様であると判定された場合に、前記文字キー領域の少なくとも一部を含む、前記ソフトウェアキーボードの表示領域における一部又は全部の領域の機能を、前記文字入力を受け付ける第１機能から、前記文字入力とは異なる入力を受け付ける第２機能へ切り替える入力機能切替手段と、を備え、前記操作態様判定手段は、前記所定態様を判定した後、前記ソフトウェアキーボードを表示している領域に対する前記指示体の継続的な接触又は継続的な近接を判定し、前記入力機能切替手段は、前記指示体の継続的な接触又は継続的な近接が検知されている状態で前記第２機能とし、前記指示体の継続的な接触又は継続的な近接が検知されなくなると前記第２機能から前記第１機能へ切り替える。
【手続補正４】
【補正対象書類名】明細書
【補正対象項目名】００１１
【補正方法】変更
【補正の内容】
【００１１】
本発明の第三態様に係る入力切替方法は、文字入力操作を受け付ける情報処理装置の入力切替方法であって、文字入力を受け付けるための文字キー領域を有するソフトウェアキーボードを表示する第１工程と、前記ソフトウェアキーボードを表示している領域に対する指示体の操作態様が少なくとも前記文字キー領域を含む領域への操作であって、前記文字入力操作以外の所定態様であることを判定する第２工程と、前記操作態様が前記所定態様であると判定された場合に、前記文字キー領域の少なくとも一部を含む、前記ソフトウェアキーボードの表示領域における一部又は全部の領域の機能を、前記文字入力を受け付ける第１機能から、前記文字入力とは異なる入力を受け付ける第２機能へ切り替える第３工程と、を有し、前記第３工程は、前記ソフトウェアキーボードが表示された領域の中で、前記所定態様での接触があった領域とは異なる領域において、前記第２機能へ切り替える。
【手続補正５】
【補正対象書類名】明細書
【補正対象項目名】００１２
【補正方法】変更
【補正の内容】
【００１２】
本発明の第四態様に係る入力切替方法は、文字入力操作を受け付ける情報処理装置の入力切替方法であって、文字入力を受け付けるための文字キー領域を有するソフトウェアキーボードを表示する第１工程と、前記ソフトウェアキーボードを表示している領域に対する指示体の操作態様が少なくとも前記文字キー領域を含む領域への操作であって、前記文字入力操作以外の所定態様であることを判定する第２工程と、前記操作態様が前記所定態様であると判定された場合に、前記文字キー領域の少なくとも一部を含む、前記ソフトウェアキーボードの表示領域における一部又は全部の領域の機能を、前記文字入力を受け付ける第１機能から、前記文字入力とは異なる入力を受け付ける第２機能へ切り替える第３工程と、を有し、前記第２工程は、前記所定態様を判定した後、前記ソフトウェアキーボードを表示している領域に対する前記指示体の継続的な接触又は継続的な近接を判定し、前記第３工程は、前記指示体の継続的な接触又は継続的な近接が検知されている状態で前記第２機能とし、前記指示体の継続的な接触又は継続的な近接が検知されなくなると前記第２機能から前記第１機能へ切り替える。
【手続補正６】
【補正対象書類名】明細書
【補正対象項目名】００１３
【補正方法】変更
【補正の内容】
【００１３】
本発明の第五態様に係るプログラムは、文字入力操作を受け付ける情報処理装置が備えるコンピュータを、文字入力を受け付けるための文字キー領域を有するソフトウェアキーボードを表示する表示制御手段と、前記ソフトウェアキーボードを表示している領域に対する指示体の操作態様が少なくとも前記文字キー領域を含む領域への操作であって、前記文字入力操作以外の所定態様であることを判定する操作態様判定手段と、前記操作態様判定手段によって前記操作態様が所定態様であると判定された場合に、前記文字キー領域の少なくとも一部を含む、前記ソフトウェアキーボードの表示領域における一部又は全部の領域の機能を、前記文字入力を受け付ける第１機能から、前記文字入力とは異なる入力を受け付ける第２機能へ切り替える入力機能切替手段と、して機能させ、前記入力機能切替手段は、前記ソフトウェアキーボードが表示された領域の中で、前記所定態様での接触があった領域とは異なる領域において、前記第２機能へ切り替える。
【手続補正７】
【補正対象書類名】明細書
【補正対象項目名】００１４
【補正方法】変更
【補正の内容】
【００１４】
本発明の第六態様に係るプログラムは、文字入力操作を受け付ける情報処理装置が備えるコンピュータを、文字入力を受け付けるための文字キー領域を有するソフトウェアキーボードを表示する表示制御手段と、前記ソフトウェアキーボードを表示している領域に対する指示体の操作態様が少なくとも前記文字キー領域を含む領域への操作であって、前記文字入力操作以外の所定態様であることを判定する操作態様判定手段と、前記操作態様判定手段によって前記操作態様が所定態様であると判定された場合に、前記文字キー領域の少なくとも一部を含む、前記ソフトウェアキーボードの表示領域における一部又は全部の領域の機能を、前記文字入力を受け付ける第１機能から、前記文字入力とは異なる入力を受け付ける第２機能へ切り替える入力機能切替手段と、して機能させ、前記操作態様判定手段は、前記所定態様を判定した後、前記ソフトウェアキーボードを表示している領域に対する前記指示体の継続的な接触又は継続的な近接を判定し、前記入力機能切替手段は、前記指示体の継続的な接触又は継続的な近接が検知されている状態で前記第２機能とし、前記指示体の継続的な接触又は継続的な近接が検知されなくなると前記第２機能から前記第１機能へ切り替える。
【手続補正８】
【補正対象書類名】明細書
【補正対象項目名】００７９
【補正方法】変更
【補正の内容】
【００７９】
次のステップ２０６では、入力機能切替部４２が解除指令を受け付けたか否かを判定し、否定判定の場合はステップ２０４へ戻り、ポインティングデバイスモードを維持する。一方、肯定判定の場合はステップ２００へ戻り、ポインティングデバイスモードをキーボードモードへ切り替える。
【手続補正９】
【補正対象書類名】図面
【補正対象項目名】図９
【補正方法】変更
【補正の内容】
【図９】
2018018322.tif 000013